(57)【要約】【課題】安定して積み重ねる。【解決手段】蓋体３０は、カップ容器２０内から内容物を取り出す取出口３３を有する蓋体３０であって、カップ容器２０の開放端部２０ａに装着され、頂壁部３２の前側部分に取出口３３が形成された有頂筒状の装着部３１を備え、頂壁部３２の前側部分には、装着部３１の軸線Ｏ方向に沿った反カップ容器２０側に向けて突出し、取出口３３に対して前側に位置するとともに左右方向に延在する立ち上がり壁部４１が配設され、頂壁部３２の後側部分には、前記反カップ容器側に向けて突出し、突端部４２ａの軸線Ｏ方向の位置が、立ち上がり壁部４１の突端部４１ａの軸線Ｏ方向の位置と同等とされた支持凸部４２が配設され、頂壁部３２のうち、立ち上がり壁部４１および支持凸部４２が配設された各部分では、軸線Ｏ方向に沿ったカップ容器側を向く内面３２ａの軸線Ｏ方向に沿った位置が互いに同等となっている。【選択図】図１
2014046932.tif 000002
【特許請求の範囲】
【請求項１】
内容物が収容されるカップ容器の開放端部に取り付けられるとともに、前記カップ容器内から内容物を取り出す取出口を有する蓋体であって、
前記開放端部に装着され、頂壁部の前側部分に前記取出口が形成された有頂筒状の装着部を備え、
前記頂壁部の前側部分には、前記装着部の軸線方向に沿った反カップ容器側に向けて突出し、前記取出口に対して前側に位置するとともに左右方向に延在する立ち上がり壁部が配設され、
前記頂壁部の後側部分には、前記反カップ容器側に向けて突出し、突端部の前記軸線方向の位置が、前記立ち上がり壁部の突端部の前記軸線方向の位置と同等とされた支持凸部が、少なくとも１つ配設され、
前記頂壁部のうち、前記立ち上がり壁部および前記支持凸部が配設された各部分では、前記軸線方向に沿ったカップ容器側を向く内面の前記軸線方向に沿った位置が互いに同等となっていることを特徴とする蓋体。
【請求項２】
請求項１記載の蓋体であって、
前記支持凸部は、前記立ち上がり壁部との間に前記装着部の軸線を挟むように配置されていることを特徴とする蓋体。
【請求項３】
請求項１または２に記載の蓋体であって、
前記頂壁部の外周縁部では、前記内面の前記軸線方向に沿った位置が、この外周縁部の全周にわたって同等とされ、
前記立ち上がり壁部および前記支持凸部は、前記頂壁部の外周縁部に配設されていることを特徴とする蓋体。
【請求項４】
請求項１から３のいずれか１項に記載の蓋体であって、
前記頂壁部には、前記反カップ容器側に向けて、前記立ち上がり壁部および前記支持凸部よりも低く突出し、前後方向に延在して前記立ち上がり壁部と前記支持凸部とを連結する補強凸部が設けられていることを特徴とする蓋体。
【請求項５】
請求項１から４のいずれか１項に記載の蓋体であって、
前記頂壁部における前記取出口の開口周縁部には、前記開放端部を封止するシール部材を破断する破断部材が、ヒンジ部を介して前記軸線方向に回動可能に連結され、
前記破断部材は、前記頂壁部の前記内面よりも前記反カップ容器側に位置し、かつ前記立ち上がり壁部の突端部よりも前記カップ容器側に位置していることを特徴とする蓋体。
【発明の詳細な説明】
【技術分野】
【０００１】
本発明は、カップ容器用蓋体（以下、蓋体という）に関する。
【背景技術】
【０００２】
従来から、内容物が収容されるカップ容器の開放端部に取り付けられるとともに、カップ容器内から内容物を取り出す取出口を有する蓋体として、例えば下記特許文献１に示すような構成が知られている。この蓋体は、下端がカップ容器の開放端部の開口端縁に当接する周壁と、周壁の上端縁からこの周壁の径方向の内側に延設された頂壁と、周壁の下端縁からこの周壁の径方向の外側に延設されたフランジ部と、を備えている。周壁は、前半部が高く後半部が低く形成されている。頂壁の中央部には、前後に延びる開口凹部が形成されている。開口凹部の開口縁には、下方に向けて延在する周壁部が連結されている。周壁部には、開口凹部の前後方向の中間部を横断する支持壁が一体に形成されている。支持壁には、内部が前記取出口とされた環状部の後端部が連結されている。環状部の前端部は、周壁部の前部に形成された支持突起に係止されている。
この蓋体がカップ容器の開放端部に取り付けられてなる蓋付き容器では、この蓋付き容器を前方に向けて傾けることで、取出口から内容物を取り出す。なおこのとき、取出口から取り出された内容物が蓋付き容器から零れ落ちることは、周壁部により抑制されている。
【先行技術文献】
【特許文献】
【０００３】
【特許文献１】特開２００８−１１０７８２号公報
【発明の概要】
【発明が解決しようとする課題】
【０００４】
しかしながら、前記従来の蓋体では、複数の蓋体を互いに周壁の軸線方向に積み重ね、例えば下側の蓋体の周壁部により、上側の蓋体のフランジ部を支持しようとしたときに、上側の蓋体が下側の蓋体の後方に向けて傾いてしまい、これらの蓋体を安定して積み重ねられないという問題がある。
【０００５】
本発明は、前述した事情に鑑みてなされたものであって、安定して積み重ねることができる蓋体を提供することを目的とする。
【課題を解決するための手段】
【０００６】
前記課題を解決するために、本発明は以下の手段を提案している。
本発明に係る蓋体は、内容物が収容されるカップ容器の開放端部に取り付けられるとともに、前記カップ容器内から内容物を取り出す取出口を有する蓋体であって、前記開放端部に装着され、頂壁部の前側部分に前記取出口が形成された有頂筒状の装着部を備え、前記頂壁部の前側部分には、前記装着部の軸線方向に沿った反カップ容器側に向けて突出し、前記取出口に対して前側に位置するとともに左右方向に延在する立ち上がり壁部が配設され、前記頂壁部の後側部分には、前記反カップ容器側に向けて突出し、突端部の前記軸線方向の位置が、前記立ち上がり壁部の突端部の前記軸線方向の位置と同等とされた支持凸部が、少なくとも１つ配設され、前記頂壁部のうち、前記立ち上がり壁部および前記支持凸部が配設された各部分では、前記軸線方向に沿ったカップ容器側を向く内面の前記軸線方向に沿った位置が互いに同等となっていることを特徴とする。
【０００７】
この発明では、この蓋体がカップ容器に取り付けられてなる蓋付き容器を前方に向けて傾けて取出口から内容物を取り出すときに、取出口から取り出された内容物が蓋付き容器から零れ落ちることは、立ち上がり壁部により抑制される。
また、複数の蓋体を互いに前記軸線方向に積み重ねるときには、例えばこれらの蓋体それぞれの前後方向の向きを合わせた状態で、上側の蓋体の前記頂壁部を、下側の蓋体の立ち上がり壁部および支持凸部に支持させる。すると、下側の蓋体の立ち上がり壁部および支持凸部それぞれの突端部により、上側の蓋体の前記頂壁部のうち、立ち上がり壁部および支持凸部が配設された各部分の内面が支持される。これにより、上側の蓋体の前記頂壁部が、下側の蓋体の前方および後方のそれぞれにおいて、前記軸線方向に沿って同等の位置で支持されることとなり、上側の蓋体が下側の蓋体に対して傾くことが抑えられる。
【０００８】
以上のように、前記蓋体によれば、複数の蓋体を積み重ねるときに、上側の蓋体が下側の蓋体に対して傾くのを抑えることができるので、複数の蓋体を安定して積み重ねることができる。
さらに、頂壁部に立ち上がり壁部および支持凸部を設けることで、複数の蓋体を安定して積み重ねることができるので、例えば、立ち上がり壁部および支持凸部に代えて、頂壁部からの突出量が全周にわたって同等とされた支持筒部を設ける場合などに比べて、軽量化を図ることができる。
【０００９】
また、前記支持凸部は、前記立ち上がり壁部との間に前記装着部の軸線を挟むように配置されていてもよい。
【００１０】
この場合、支持凸部が、立ち上がり壁部との間に装着部の軸線を挟むように配置されているので、複数の蓋体を積み重ねるときに、上側の蓋体が下側の蓋体に対して傾くのを確実に抑えることが可能になり、複数の蓋体をより安定して積み重ねることができる。
【００１１】
また、前記頂壁部の外周縁部では、前記内面の前記軸線方向に沿った位置が、この外周縁部の全周にわたって同等とされ、前記立ち上がり壁部および前記支持凸部は、前記頂壁部の外周縁部に配設されていてもよい。
【００１２】
この場合、頂壁部の外周縁部で、内面の前記軸線方向に沿った位置が、この外周縁部の全周にわたって同等とされているので、複数の蓋体を積み重ねるときに、蓋体の前後方向の向きを合わせなくても、下側の蓋体の立ち上がり壁部および支持凸部により、上側の蓋体の前記頂壁部の外周縁部を支持することで、上側の蓋体が下側の蓋体に対して傾くのを抑えることが可能になり、蓋体の取扱い性を向上させることができる。
【００１３】
また、前記頂壁部には、前記反カップ容器側に向けて、前記立ち上がり壁部および前記支持凸部よりも低く突出し、前後方向に延在して前記立ち上がり壁部と前記支持凸部とを連結する補強凸部が設けられていてもよい。
【００１４】
この場合、頂壁部に前記補強凸部が設けられているので、補強凸部により、立ち上がり壁部および支持凸部を補強することが可能になり、これらの立ち上がり壁部および支持凸部の剛性を高めることができる。したがって、この蓋体の上側に積み重ねられる蓋体を、立ち上がり壁部および支持凸部により確実に支持することが可能になり、複数の蓋体をより安定して積み重ねることができる。
【００１５】
また、前記頂壁部における前記取出口の開口周縁部には、前記開放端部を封止するシール部材を破断する破断部材が、ヒンジ部を介して前記軸線方向に回動可能に連結され、前記破断部材は、前記頂壁部の前記内面よりも前記反カップ容器側に位置し、かつ前記立ち上がり壁部の突端部よりも前記カップ容器側に位置していてもよい。
【００１６】
この場合、破断部材が、頂壁部の内面よりも前記反カップ容器側に位置し、かつ立ち上がり壁部の突端部よりも前記カップ容器側に位置しているので、複数の蓋体を積み重ねるときに、破断部材を、この蓋体の上側または下側に位置する蓋体の破断部材や頂壁部に当接させ難くすることができる。これにより、複数の蓋体を積み重ねるときに、上側の蓋体の前記頂壁部を、破断部材に邪魔されることなく、下側の蓋体の立ち上がり壁部および支持凸部に支持させることが可能になり、複数の蓋体を確実に安定して積み重ねることができる。
【発明の効果】
【００１７】
本発明に係る蓋体によれば、安定して積み重ねることができる。
【図面の簡単な説明】
【００１８】
【図１】本発明の一実施形態に係る蓋体を備える蓋付き容器の要部を示す縦断面図である。
【図２】図１に示す蓋体の平面図である。
【図３】図１に示す蓋体を構成する支持凸部の正面図である。
【図４】図１に示す蓋体を複数積み重ねた状態を示す縦断面図である。
【図５】本発明の変形例に係る蓋体を構成する支持凸部の正面図である。
【発明を実施するための形態】
【００１９】
以下、図１から図４を参照し、本発明の一実施形態に係る蓋体を備える蓋付き容器１０を説明する。蓋付き容器１０には、例えば内容物として液状の飲料などが充填される。ユーザ（消費者）は、例えばこの蓋付き容器１０から飲料を直接飲むことができる。
【００２０】
図１に示すように、蓋付き容器１０は、内容物が収容されるカップ容器２０と、このカップ容器２０の開放端部２０ａに取り付けられる蓋体３０と、を備えている。
ここで、カップ容器２０は有底筒状に形成されるとともに、蓋体３０にはカップ容器２０の開放端部２０ａに装着される有頂筒状の装着部３１が備えられていて、これらのカップ容器２０および装着部３１の各軸線は共通軸上に配置されている。以下、この共通軸を中心軸（装着部の軸線）Ｏといい、中心軸Ｏ方向（装着部の軸線方向）に沿った蓋体３０に対するカップ容器側を下側といい、その反対側（反カップ容器側）を上側という。
【００２１】
カップ容器２０は、中心軸Ｏ方向に延在し上方から下方に向けて漸次縮径するテーパ胴部２１を備えている。テーパ胴部２１の下端部は、図示しない底部により閉塞され、テーパ胴部２１の上端部は、前記開放端部２０ａとされている。
カップ容器２０の開放端部２０ａには、この開放端部２０ａの径方向の外側に突出するフランジ部２２が、全周にわたって延設されている。フランジ部２２は、中心軸Ｏと同軸に配置されるとともに表裏面が中心軸Ｏ方向を向く環状かつ板状に形成されている。
【００２２】
カップ容器２０の開放端部２０ａは、シール部材２３により封止されている。シール部材２３は、開放端部２０ａを上方から覆う破断可能なシート状に形成されており、シール部材２３の外周縁部は、フランジ部２２の上面に貼着されている。
シール部材２３は、例えばアルミ蒸着シートなどのバリア性シート材で構成されており、シール部材２３の下面には熱溶着層が形成されている。シール部材２３は、カップ容器２０内に飲料が充填された後にフランジ部２２の上面に熱溶着されており、カップ容器２０内の飲料が外部に漏出しないように開放端部２０ａを封止している。なお、シール部材２３としてバリア性シート材を使用した場合には、空気などがカップ容器２０内に侵入することを防止して飲料の変質を防ぐこともできる。
【００２３】
前記装着部３１は、前記フランジ部２２に外装されており、装着部３１の頂壁部３２のうちの外周縁部３２ｂは、フランジ部２２上に位置している。外周縁部３２ｂは、全周にわたって平坦に形成され、外周縁部３２ｂでは、上面および下面（内面）３２ａの中心軸Ｏ方向の位置が、この外周縁部３２ｂの全周にわたって同等とされている。
【００２４】
頂壁部３２のうち、外周縁部３２ｂよりも内側に位置する中央部３２ｃは、上方に向けて膨出しており、この中央部３２ｃと前記シール部材２３との間には逃げ空間が設けられている。この逃げ空間内には、カップ容器２０の内圧が上昇したときに上方に向けて膨出させられたシール部材２３が進入する。これにより、例えばシール部材２３により頂壁部３２が押圧されたり、シール部材２３が後述する破断部材３６により破断されたりすること等が抑えられる。
【００２５】
頂壁部３２において前後方向の中央よりも前側に位置する前側部分には、カップ容器２０内から内容物を取り出す取出口３３が形成されている。図２に示すように、取出口３３は、中心軸Ｏに対してずらされて配置されている。以下では、中心軸Ｏに直交しかつ取出口３３の軸線を通る前後軸Ｌに沿う方向を前後方向といい、前後方向に沿った中心軸Ｏに対する取出口３３側を前側といい、その反対側を後側という。
【００２６】
頂壁部３２における取出口３３の左右方向の両側には、一対の側開口３４が形成されている。これらの側開口３４はそれぞれ、取出口３３の後端部に、左右方向の外側から接続されており、取出口３３と一体に形成されている。
これらの取出口３３および側開口３４は、頂壁部３２に形成された開口部３５を構成している。開口部３５は、この蓋付き容器１０（蓋体３０）を中心軸Ｏ方向から見た平面視において、前後軸Ｌを基準に線対称となっている。
【００２７】
取出口３３は、前記平面視において前後方向に延在する矩形状に形成されている。取出口３３の前端縁は、前記頂壁部３２における外周縁部３２ｂと中央部３２ｃとの連結部分に位置しており、この連結部分に沿って円弧状に延在している。取出口３３の後端縁は、中心軸Ｏおよび前後軸Ｌの両方に直交する左右方向に沿って直線状に延在している。
【００２８】
側開口３４は、取出口３３の後端部から後方に向けて延在している。側開口３４は、この側開口３４の前端縁から前後方向の中央に至るまでは、後方に向かうに従い漸次、左右方向の外側に向けて拡幅している。側開口３４は、この側開口３４の前後方向の中央から後端縁に至るまでは、前後方向の全長にわたって、左右方向に同幅となっている。
なお図示の例では、頂壁部３２における側開口３４の開口周縁部のうち、左右方向の内側に位置する部分は、前後方向に沿って直線状に延在している。側開口３４の開口周縁部のうち、左右方向の外側に位置する部分は、この側開口３４の前端縁から前後方向の中央に至るまでは、後方に向かうに従い漸次、左右方向の外側に向けて直線状に延在している。前記左右方向の外側に位置する部分は、この側開口３４の前後方向の中央から後端縁に至るまでは、前後方向に沿って直線状に延在している。
【００２９】
頂壁部３２における開口部３５の開口周縁部には、前記シール部材２３を破断する破断部材３６が、ヒンジ部３７を介して中心軸Ｏ方向に回動可能に連結されている。
破断部材３６は、前記平面視において開口部３５の内側に配置されており、破断部材３６の外周縁は、開口部３５の開口周縁部に沿って延在している。破断部材３６は、前記平面視において取出口３３の内側に配置された本体部３８と、一対の側開口３４それぞれの内側に配置された一対の羽部３９と、を備えている。これらの本体部３８および羽部３９は一体に形成されている。ヒンジ部３７は、左右方向に延在しており、本体部３８の後端縁と取出口３３の開口周縁部とを連結している。
【００３０】
破断部材３６は、開口部３５の開口周縁部に、破断容易なブリッジ部４０を介して連結されている。ブリッジ部４０は、ヒンジ部３７を回避して配置されている。ブリッジ部４０は、羽部３９の外周縁と側開口３４の開口周縁部とを連結している。ブリッジ部４０は、羽部３９に対して左右方向の内側に配置されている。
図１に示すように、本体部３８の前端部には、下方に向けて突出する切刃部３８ａが設けられている。切刃部３８ａの先端は、前記取出口３３内に配置されている。
破断部材３６は、頂壁部３２の下面３２ａよりも上方に位置している。図示の例では、ヒンジ部３７も、頂壁部３２の下面３２ａよりも上方に位置している。なおヒンジ部３７は、前記取出口３３内に配置されている。
【００３１】
頂壁部３２には、上方に向けて突出する立ち上がり壁部４１、支持壁部（支持凸部）４２および補強壁部（補強凸部）４３が配設されている。立ち上がり壁部４１、支持壁部４２および補強壁部４３は、頂壁部３２の外周縁部３２ｂに配設されている。図２に示すように、立ち上がり壁部４１、支持壁部４２および補強壁部４３は、前記平面視において、中心軸Ｏを共通の曲率中心とし、かつ曲率半径が互いに同等とされた円弧状に形成されている。立ち上がり壁部４１、支持壁部４２および補強壁部４３は、中心軸Ｏ回りに周回する周方向に連設されており、中心軸Ｏと同軸に配置された筒状体を構成している。
【００３２】
図１に示すように、立ち上がり壁部４１は、頂壁部３２の前側部分に配置されており、図示の例では、頂壁部３２の前側部分に限定して配置され、頂壁部３２において前後方向の中央よりも後側に位置する後側部分には配置されていない。立ち上がり壁部４１は、取出口３３に対して前側に位置するとともに左右方向に延在している。立ち上がり壁部４１の突端部４１ａの中心軸Ｏ方向の位置は、この立ち上がり壁部４１の左右方向の全長にわたって同等となっている。立ち上がり壁部４１の突端部４１ａは、前記破断部材３６よりも上側に位置している。
【００３３】
図２に示すように、立ち上がり壁部４１の左右方向の中央部は、前後軸Ｌ上に位置している。立ち上がり壁部４１の左右方向に沿った大きさは、取出口３３の左右方向に沿った大きさよりも大きくなっている。立ち上がり壁部４１は、前記平面視において、前方に向けて凸となる円弧状に形成されている。立ち上がり壁部４１のうち、左右方向の両端部の前後方向の位置は互いに同等となっており、これらの両端部は左右方向に対向している。
【００３４】
図１に示すように、支持壁部４２は、頂壁部３２の後側部分に配置されており、図示の例では、頂壁部３２の後側部分に限定して配置され前側部分には配置されていない。支持壁部４２の突端部４２ａの中心軸Ｏ方向の位置は、立ち上がり壁部４１の突端部４１ａの中心軸Ｏ方向の位置と同等である。支持壁部４２は、立ち上がり壁部４１との間に中心軸Ｏを挟むように配置されている。
図２に示すように、支持壁部４２は左右方向に延在しており、支持壁部４２の左右方向の中央部は、前後軸Ｌ上に位置している。図３に示すように、支持壁部４２の左右方向の中央部には、突端部４２ａに開口する肉抜き孔４２ｂが前後方向に貫設されている。
【００３５】
図２に示すように、補強壁部４３は、前後方向に延在して立ち上がり壁部４１と支持壁部４２とを連結している。補強壁部４３は、前後軸Ｌを左右方向に挟んで一対配置されている。補強壁部４３は、立ち上がり壁部４１および支持壁部４２それぞれの左右方向の端部同士を連結している。補強壁部４３は、前記平面視において左右方向の外側に向けて凸となる円弧状に形成されている。
【００３６】
図１に示すように、補強壁部４３は、頂壁部３２から上方に向けて、立ち上がり壁部４１よりも低く突出している。補強壁部４３の前部４３ａと後部４３ｂとでは、頂壁部３２からの突出量が互いに異なっている。前部４３ａの突出量は、この前部４３ａの前方から後方に向かうに従い漸次小さくなっている。後部４３ｂの突出量は、この後部４３ｂの前後方向の全長にわたって同等となっている。
【００３７】
そして本実施形態では、頂壁部３２のうち、立ち上がり壁部４１および支持壁部４２が配設された各部分では、下面３２ａの中心軸Ｏ方向に沿った位置が互いに同等となっている。図示の例では、立ち上がり壁部４１および支持壁部４２は、頂壁部３２の外周縁部３２ｂに配設されており、これにより、前記各部分における下面３２ａの中心軸Ｏ方向に沿った位置が互いに同等となっている。
【００３８】
ここで、前記蓋付き容器１０の使用に際しては、ユーザは、まず破断部材３６に外力を加え、ブリッジ部４０を破断させるとともに破断部材３６をヒンジ部３７回りの下方に向けて回動させる。すると、破断部材３６の切刃部３８ａの先端がシール部材２３を下方に向けて押圧することで破断部材３６がシール部材２３を破断し、カップ容器２０内と取出口３３とが、シール部材２３の破断部分を通して連通する。
【００３９】
その後ユーザは、例えば立ち上がり壁部４１に口を付けながら、この蓋付き容器１０を前方に向けて傾ける。すると、取出口３３から内容物が流出し、この内容物が、立ち上がり壁部４１の周面を伝いながらユーザの口に導入される。このとき、取出口３３から取り出された内容物が蓋付き容器１０から零れ落ちることは、立ち上がり壁部４１により抑制されることとなる。
【００４０】
ところで図４に示すように、複数の蓋体３０を互いに中心軸Ｏ方向に積み重ねるときには、例えばこれらの蓋体３０それぞれの前後方向の向きを合わせた状態で、上側の蓋体３０の前記頂壁部３２を、下側の蓋体３０の立ち上がり壁部４１および支持壁部４２に支持させる。すると、下側の蓋体３０の立ち上がり壁部４１および支持壁部４２それぞれの突端部４１ａ、４２ａにより、上側の蓋体３０の前記頂壁部３２のうち、立ち上がり壁部４１および支持壁部４２が配設された各部分の下面３２ａが支持される。これにより、上側の蓋体３０の前記頂壁部３２が、下側の蓋体３０の前方および後方のそれぞれにおいて、中心軸Ｏ方向に沿って同等の位置で支持されることとなり、上側の蓋体３０が下側の蓋体３０に対して傾くことが抑えられる。なおこのとき、蓋体３０の前後方向の向きを合わせなくても、下側の蓋体３０の立ち上がり壁部４１および支持壁部４２により、上側の蓋体３０の前記頂壁部３２の外周縁部３２ｂを支持することで、上側の蓋体３０が下側の蓋体３０に対して傾くのを抑えることができる。
【００４１】
以上説明したように、本実施形態に係る蓋体３０によれば、複数の蓋体３０を積み重ねるときに、上側の蓋体３０が下側の蓋体３０に対して傾くのを抑えることができるので、複数の蓋体３０を安定して積み重ねることができる。
また、頂壁部３２の外周縁部３２ｂで、下面ａの中心軸Ｏ方向に沿った位置が、この外周縁部３２ｂの全周にわたって同等とされているので、複数の蓋体３０を積み重ねるときに、これらの蓋体３０の前後方向の向きを合わせなくても、上側の蓋体３０が下側の蓋体３０に対して傾くのを抑えることが可能になり、蓋体３０の取扱い性を向上させることができる。
【００４２】
さらに、頂壁部３２に立ち上がり壁部４１および支持壁部４２を設けることで、複数の蓋体３０を安定して積み重ねることができるので、例えば、立ち上がり壁部４１および支持壁部４２に代えて、頂壁部からの突出量が全周にわたって同等とされた支持筒部を設けるなどに比べて、軽量化を図ることができる。
また支持壁部４２が、立ち上がり壁部４１との間に中心軸Ｏを挟むように配置されているので、複数の蓋体３０を積み重ねるときに、上側の蓋体３０が下側の蓋体３０に対して傾くのを確実に抑えることが可能になり、複数の蓋体３０をより安定して積み重ねることができる。
【００４３】
また、頂壁部３２に前記補強壁部４３が設けられているので、補強壁部４３により、立ち上がり壁部４１および支持壁部４２を補強することが可能になり、これらの立ち上がり壁部４１および支持壁部４２の剛性を高めることができる。したがって、この蓋体３０の上側に積み重ねられる蓋体３０を、立ち上がり壁部４１および支持壁部４２により確実に支持することが可能になり、複数の蓋体３０をより安定して積み重ねることができる。
【００４４】
さらに破断部材３６が、頂壁部３２の下面３２ａよりも上側に位置し、かつ立ち上がり壁部４１の突端部４１ａよりも下側に位置しているので、複数の蓋体３０を積み重ねるときに、破断部材３６を、この蓋体３０の上側または下側に位置する蓋体３０の破断部材３６や頂壁部３２に当接させ難くすることができる。これにより、複数の蓋体３０を積み重ねるときに、上側の蓋体３０の前記頂壁部３２を、破断部材３６に邪魔されることなく、下側の蓋体３０の立ち上がり壁部４１および支持壁部４２に支持させることが可能になり、複数の蓋体３０を確実に安定して積み重ねることができる。
【００４５】
なお、本発明の技術的範囲は前記実施形態に限定されるものではなく、本発明の趣旨を逸脱しない範囲において種々の変更を加えることが可能である。
例えば、前記実施形態では、支持壁部４２は、肉抜き孔４２ｂが形成されているものとしたが、これに限られず、図５に示すように、肉抜き孔はなくてもよい。
【００４６】
また前記実施形態では、支持壁部４２は、立ち上がり壁部４１との間に中心軸Ｏを挟むように配置されているものとしたが、これに限られない。例えば、支持壁部を、頂壁部の外周縁部において前後軸を回避するように配置してもよい。
さらに、支持壁部４２は頂壁部３２の後側部分に少なくとも１つ配設されていればよく、複数設けられていてもよい。例えば、支持壁部が前後軸を左右方向に挟んで対向するように一対設けられていてもよい。
【００４７】
また前記実施形態では、頂壁部３２の中央部が上方に向けて膨出しているものとしたが、これに限られない。例えば、頂壁部が全面にわたって平坦に形成され、頂壁部の下面の中心軸方向の位置が、この頂壁部の全面にわたって同等であってもよい。この場合、支持壁部は、頂壁部の外周縁部ではなく、中央部に配設されていてもよい。
【００４８】
また前記実施形態では、支持凸部として支持壁部４２を採用し、補強凸部として補強壁部４３を採用したが、これに限られない。例えば支持壁部に代えて、棒状の支持突起を採用してもよい。また、補強壁部に代えて、前後方向に延在する補強条部を採用してもよい。
さらに補強凸部はなくてもよい。
【００４９】
また、破断部材３６は前記実施形態に示したものに限られず、例えば羽部はなくてもよく、この場合には側開口もなくてよい。
さらに、破断部材３６はなくてもよい。
【００５０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５１】
２０  カップ容器
２０ａ  開放端部
２３  シール部材
３０  蓋体
３１  装着部
３２  頂壁部
３２ａ  下面（内面）
３２ｂ  外周縁部
３３  取出口
３６  破断部材
３７  ヒンジ部
４１  立ち上がり壁部
４１ａ  立ち上がり壁部の突端部
４２  支持壁部（支持凸部）
４２ａ  支持壁部の突端部
４３  補強壁部（補強凸部）
【図１】
2014046932.tif 000003
【図２】
2014046932.tif 000004
【図３】
2014046932.tif 000005
【図４】
2014046932.tif 000006
【図５】
2014046932.tif 000007